(57)【特許請求の範囲】
【請求項１】
帯状部（２）と、この帯状部（２）の下面に突出した複数本の挿通部（３）とからなり、この挿通部（３）は脚部（３ａ）とこの脚部（３ａ）の先端から斜め上方に向けて突出する複数本の係止片（３ｂ）とから構成されてやじり状を形成すると共に、この係止片（３ｂ）は弾撥力を持ち、かつ前記脚部（３ａ）の根元部の帯状部（２）に複数個の切断孔（２ａ）を開口してプラスチックで一体成形した封緘具。
【請求項２】
帯状部(1) は薄板状であり、切断孔(2a)を脚部(3a)の周囲に３つ以上平均した間隔で開口した請求項１記載の封緘具。
【発明の詳細な説明】
【０００１】
【産業上の利用分野】
本願発明は、段ボール箱等の輸送用容器を一旦封緘すると破壊しないでは開封できなくなる容器の封緘具に関する。
【０００２】
【従来の技術】
段ボール箱やプラスチック製箱を物品の輸送用容器として使用する場合には、物品を収納後開封部分を閉じ、閉じ部をガムテープ等で貼着して封緘するのが一般的である。しかし、段ボール箱等を通い容器として繰り返し使用する場合には、ガムテープで封緘すると、ガムテープを剥がして開封するのに手間取ったり、ガムテープを剥がす際に段ボール箱を損傷して再利用できなくなるという難点がある。そこで、このような場合には、紐や熱融着性ベルトで縛ったり、閉じ部の両側にボタンを取り付け、このボタンに糸を巻き付ける等の封緘手段を用いて、輸送用容器を繰り返し再使用している。
【０００３】
【発明が解決しようとする課題】
しかしながら、輸送用容器を前記の再使用可能な封緘手段を用いて封緘した場合には、一旦開封した後に同じ封緘手段を用いて簡単に封緘し直すことができるため、輸送中ないし保管中に荷抜きが行われることに無防備であり、また、出荷側と荷受け側で受渡し数に不一致があったとしてもその不一致が梱包時、輸送時、保管時のいずれの段階で生じたのかその原因の追求が困難になるという問題点がある。
【０００４】
そこで本発明者は簡易な封緘手段としてプラスチック製のものを検討した。これは、帯状部の一面にやじり状の挿通部を形成し、挿通部の根元部を薄肉として開封時に折れ易くしたものであるが、これには次の問題があった。即ち、封緘時に挿通部を輸送用容器の蓋部に設けた穴に挿通する際、この挿通部の根元部が簡単に破損してしまうので、封緘作業を慎重にしなければならないという問題があった。また、封緘を終了した輸送用容器は手荒く扱われる場合があったり、積み上げられる場合があるが、この場合に封緘具が千切れて開封状態となることがあった。
【０００５】
そこで、挿通部の根元部を薄肉とするのではなく、帯状部の挿通部の根元部脇に１つの切断穴を帯状部の幅方向に開口し、開封時にそこから帯状部を引きちぎれるように構成するものを試みた。これによると挿通部を輸送用容器の蓋部に設けた穴に挿通する際の破損は発生しないが、開封時に帯状部を引きちぎった後、挿通部側に帯状部の残片が付着して、この残片とやじりによって穴から挿通部を引き抜くことができず、封緘用容器としての再利用に支障を来すという問題があった。
【０００６】
本発明は、封緘時には挿通部の根元部より千切れることなく封緘操作を簡単に行うことができ、この封緘をした輸送用容器を手荒く扱っても確実に封緘を保持することができると共に、開封時には簡単に開封でき、かつ容器の蓋の穴から簡単に挿通部を取り除き、容器を再利用できるプラスチック製封緘具を提供することを目的とするものである。
【０００７】
【課題を解決するための手段】
上記のごとき諸問題を解決するため、本願発明の封緘具は、帯状部と、この帯状部の下面に突出した複数本の挿通部とからなり、この挿通部は脚部とこの脚部の先端から斜め上方に向けて突出する複数枚の係止片とから構成されてやじり状を形成すると共に、この係止片は弾撥力を持ち、かつ脚部の根元部の帯状部に複数個の切断孔を開口してプラスチックで一体成形して構成している。
【０００８】
帯状部は平坦な薄板状であり、封緘具の上に他の容器が段積みされてもひっかかって破壊されないように構成してある。
脚部の根元部の帯状部に複数の切断孔が開口されているが、この切断孔は根元部の周囲に３つ以上平均した間隔で配列して開口するのが良い。
また、本願発明の封緘具に使用されるプラスチックは、例えばＡＢＳ樹脂、塩化ビニル樹脂、ポリプロピレン、ポリエチレン等が使用される。
【０００９】
【作  用】
上記の封緘具は、その挿通部を脚部の先端から輸送用容器の蓋部等の容器の閉じ部の穴に差し込むと、脚部の先端からやじり状に開いていた係止片が脚部の方向に折り畳まれて穴を通過させることができ、更に一旦穴を通過すると直ちに係止片が元状に復帰してやじり状に開き、挿通部を容器の穴から抜き取ろうとしても係止片が邪魔して抜き取ることが不可能になる。そして、帯状部を引張って挿通部の根元部を折取らないかぎり容器を無傷で開封できない状態となり、容器を封緘することができる。また、帯状部を引きちぎって挿通部を分離し簡単に開封することができる。
【００１０】
【実施例】
図１〜図６によって、本実施例の封緘具１を説明する。
本実施例の封緘具１は、ＡＢＳ、塩化ビニル等の可撓性プラスチックを一体成形して製作され、偏平で薄板状の帯状部２と、この帯状部２の下面に突出した２本の挿通部３とからなっている。
【００１１】
この挿通部３は、脚部３ａとこの脚部３ａの先端から斜め上方に向けて突出する２枚の係止片３ｂとからなり、全体として下方を指したやじりの如く構成されている。そして、この係止片３ｂと脚部３ａの境目には凹部３ｃを設けることによって薄肉部３ｄを形成して、薄肉部３ｄに可撓性と弾撥力を与え、係止片３ｂを脚部３ａ方向に折り曲げることができるようにすると共に、折り曲げた係止片３ｂを開放するとやじり状の原状に復帰することを可能に構成している。
【００１２】
そして、この挿通部３をその根元部より切断できるように、脚部３ａの根元部分の帯状部２に複数個の切断孔２ａを開口して根元部分の帯状部２の強度を弱めている。この切断孔２ａは図示のように脚部３ａの根元部の周囲に、３つ以上最も望ましくは４つ、平均した間隔で配列して開口すると、帯状部２の強度を平均的に適度に弱め、かつ開封時に帯状部２を引きちぎる際挿通部３側に帯状部２の残片が殆ど付着しないので良い。
【００１３】
また、本実施例では、薄板状の帯状部２の両端部及び両側部を面取りして角を取り滑らかな傾斜面２ｂが形成されるようにしている。そして帯状部２の中央部の両側部は切り欠いて角を残し傾斜面２ｂを形成せず把持し易いようにようにして、そこを把持部２ｃとしている。なお、この把持部２ｃの裏面の肉を削って爪やドライバー等の工具を挿入し易くすれば開封操作を効率的に行うことができる。
【００１４】
また、脚部３ａを横断面十字型に形成して脚部３ａの断面係数を大きくして強度を高めるようにしている。
次に、本実施例に使用した輸送用容器４は、図７に示すように、衣料品等の完成品をハンガー（図示せず）に吊るしたまま収納して輸送する通い箱であり、ハンガーを吊るすポール４ａは予め容器４に装着し、前扉４ｂを矢印方向に回動して閉じる。そして、図８に示すように、前扉４ｂ側の天板４ｃを段ボール容器４の本体側の天板４ｄと突き合わせた部分を本発明の封緘具１で封緘するようにしている。
【００１５】
更に、この容器４を封緘具１で封緘し、次にその封緘を解除する手順を説明する。まず、前扉４ｂ側及び本体側の天板（開封部）４ｃ、４ｄに設けられた穴４ｅ、４ｆに、それぞれ封緘具１の２つの挿通部３をその先端からあてがい差し込むと、係止片３ｂが押されて脚部３ａ方向に折り曲げられて挿通可能になる。そして、そのまま帯状部２が天板４ｃ、４ｄに当たるまで、挿通部３を穴４ｅ、４ｆに挿入すると、穴４ｅ、４ｆを通過した係止片３ｂが開放されてやじり状の原状に復帰し、それによって挿通部３は穴４ｅ、４ｆから引き抜き不能になる。こうして容器４は、簡単かつ確実に封緘される。
【００１６】
次に封緘を解除するには、帯状部２の中央に設けた把持部２ｃを把持して引きちぎるようにすると、帯状部２は切断孔２ａの部分が切れて脚部３ａから切り離され、挿通部３は容器４内に残留する。こうして容器４の封緘は簡単に解除される。かつ、切断孔２ａは脚部３ａの根元部の周囲に４つ平均的に配列して開口することによって挿通部３側に帯状部２の残片が殆ど付着しないので、挿通部３を穴４ｅ、４ｆから簡単に引き抜くことができる。
【００１７】
なお、封緘具１の帯状部２を偏平な薄板状に形成し、かつ帯状部２の両端部及び両側部を面取りして滑らかな傾斜面２ｂを形成することによって封緘具を取り付けた容器４の出し入れや積み重ね等の取扱い時、帯状部２が引っ掛かって邪魔になるようなことがない。
また、封緘具１は以上のように極めて簡単な構造のプラスチックの一体成形品であるから、製造が簡単で廉価に提供できる。
【００１８】
【発明の効果】
以上のように構成された本発明の封緘具は、その挿通部を容器の閉じ部に設けられた穴に挿通することによって、簡単かつ確実に容器を封緘でき、かつ封緘具を破壊しないかぎり容器を無傷で開封できないので、容器中の物品の保管上の信頼性、安全性が向上する。
【００１９】
また、挿通部の根元部を薄肉として折れ易くしてはいないために、この挿通部を容器の閉じ部の穴に挿通する際に挿通部が破壊されるような事故を防止できる。
また、容器の封緘を解除する際は、封緘具の帯状体を引っ張れば挿通部は根元部より分離し、簡単に容器の封緘を解除することができ、かつ容器の閉じ部の穴から挿通部を簡単に取り除くことができる。
更に、封緘具は極めて簡単な構造のプラスチックの一体成形品であるから、製造が簡単で廉価に提供できる。
【図面の簡単な説明】
【図１】本実施例の封緘具１の正面図である。
【図２】封緘具１の平面図である。
【図３】封緘具１の側面図である。
【図４】図２のＡ−Ａ矢視断面図である。
【図５】図１のＢ−Ｂ矢視断面図である。
【図６】図１のＣ−Ｃ矢視断面図である。
【図７】本実施例で使用する輸送用容器４の説明図である。
【図８】輸送用容器４を封緘具１で封緘した状態を示す説明図である。
【符号の説明】
１  封緘具
２  帯状部      ２ａ  切断孔      ２ｂ  傾斜面      ２ｃ  把持部
３  挿通部      ３ａ  脚部      ３ｂ  係止片      ３ｃ  溝
３ｄ  薄肉部
４  輸送用容器      ４ａ  ポール      ４ｂ  前扉      ４ｃ，４ｄ  天板
４ｅ，４ｆ  穴
【図１】
0003698457.tif 000002
【図２】
0003698457.tif 000003
【図３】
0003698457.tif 000004
【図４】
0003698457.tif 000005
【図５】
0003698457.tif 000006
【図６】
0003698457.tif 000007
【図７】
0003698457.tif 000008
【図８】
0003698457.tif 000009